(57)【特許請求の範囲】
【請求項１】
被貼着体に絵柄を転写する転写シートであって、
柔軟性と不水溶性を有する透明な樹脂フィルムでシール台紙上に積層される保護コート層と、
前記保護コート層上に積層され、噴霧されたカラーインクにより所定の絵柄が印刷されてなるカラー印刷層と、
前記カラー印刷層上に積層され、金属箔を支持するための粘着剤からなる下地層と、
前記下地層の上に載置され、所定の絵柄パターンを有する金属箔からなる金属箔絵柄層と、
前記金属箔絵柄層の上に積層され、前記被貼着体に貼り付けるための粘着剤で形成される粘着剤層とを備え、
前記シール台紙と前記保護コート層の間に、平均粒径が１０μｍ以下の粉末状物質からなるパウダー層を介在させた
ことを特徴とする転写シート。
【請求項２】
前記カラー印刷層と前記下地層との間に、
前記カラー印刷層上に積層され、噴霧された白色系インクにより形成されるホワイト印刷層を介在させる
ことを特徴とする請求項１記載の転写シート。
【請求項３】
被貼着体に絵柄を転写する転写シートの製造方法であって、
シール台紙上に平均粒径が１０μｍ以下の粉末状物質を粉蒔きしてパウダー層を形成する工程と、
パウダー層が形成されたシール台紙上に柔軟性と不水溶性を有する透明な樹脂フィルムを積層して保護コート層を形成する工程と、
形成された保護コート層の上に、インクジェット方式により液滴の径が１２〜４８μｍのカラーインクを噴霧させ所定の絵柄を印刷してカラー印刷層を形成する工程と、
形成されたカラー印刷層の上に粘着剤を積層して金属箔を支持するための下地層を形成する工程と、
下地層の上に金属箔を貼着して所定の絵柄パターンの金属箔絵柄層を形成する工程と、
金属箔絵柄層に前記被貼着体に貼り付けるための粘着剤を積層して粘着剤層を形成する工程とを含む
ことを特徴とする転写シートの製造方法。
【発明の詳細な説明】
【技術分野】
【０００１】
本発明は、被貼着体に絵柄を転写する転写シートに関し、特に金属箔の絵柄を人体の皮膚に転写する転写シート及びその製造方法に関する。
【背景技術】
【０００２】
従来、人体の皮膚などの被貼着体に絵柄を転写する転写シートとしては、柔軟性と不水溶性を有する透明な樹脂フィルムでシール台紙上に積層される保護コート層上に粉末状物質のパウダー層を積層し、さらに、金属箔を支持する粘着剤からなる下地層と、金属箔からなる金属箔絵柄層と、被貼着体に貼り付けるための粘着剤で形成される粘着剤層とを備える転写シートがある（例えば、特許文献１参照）。
【先行技術文献】
【特許文献】
【０００３】
【特許文献１】特開２００９−１６０７５７号公報
【発明の概要】
【発明が解決しようとする課題】
【０００４】
確かに、上記特許文献１の転写シートによれば、貼り付け面における優れた柔軟性とフレキシブル性とを発揮しつつ金属箔独特の高輝性を演出することは可能である。
【０００５】
しかしながら、昨今、金属箔の高輝性だけではなくカラー印刷等を施して意匠性をより向上させることが求められつつある。この点、従来の転写シートではスクリーン印刷によりカラー印刷層を形成することが行われるところ、上記特許文献１の転写シートにこれを用いると、金属箔表面には微細なピンホールが存在しているため、密着性が著しく低下してしまうという問題がある。
【０００６】
そこで、本発明は、金属箔と高精細なカラー印刷との共存と密着力強化による耐久性能の向上を両立させることができる転写シートを提供することを目的とする。また、かかる意匠的装飾効果と耐久性に優れた転写シートを製造可能な転写シートの製造方法を提供することをも目的とする。
【課題を解決するための手段】
【０００７】
上記目的を達成するために、本発明に係る転写シートは、被貼着体に絵柄を転写する転写シートであって、柔軟性と不水溶性を有する透明な樹脂フィルムでシール台紙上に積層される保護コート層と、前記保護コート層上に積層され、インクジェット方式により液滴の径が１２〜４８μｍ程度のカラーインクを噴霧させ所定の絵柄を印刷することで形成されるカラー印刷層と、前記カラー印刷層上に積層され、金属箔を支持するための粘着剤からなる下地層と、前記下地層の上に載置され、所定の絵柄パターンを有する金属箔からなる金属箔絵柄層と、前記金属箔絵柄層の上に積層され、前記被貼着体に貼り付けるための粘着剤で形成される粘着剤層とを備えることを特徴とする。
【０００８】
これによれば、インクジェット印刷で形成されたカラーインク層がカラー印刷絵柄を表現し、金属箔絵柄層が金属箔独特の高輝性を表現するので、金属箔と高精細なカラー印刷とを共存させた意匠性に優れた転写シートが実現される。さらに、インクジェットで噴霧されたインクと金属箔表面のピンホールとのアンカー効果が向上して密着性が高まるので、耐久性にも優れた転写シートが得られる。
【０００９】
ここで、前記カラー印刷層と前記下地層との間に、前記カラー印刷層上に積層され、インクジェット方式により液滴の径が１２〜４８μｍ程度の白色系インクを噴霧させることで形成されるホワイト印刷層を介在させるのが好ましい。
【００１０】
これによれば、ホワイト印刷層がカラー印刷層の発色を良くするので、カラー印刷層が形成する印刷絵柄をより鮮明に映えさせることにより意匠的装飾効果を高めることができる。
【００１１】
また、前記シール台紙と前記保護コート層の間に、平均粒径が１０μｍ以下の粉末状物質からなるパウダー層を介在させるとしてもよい。
【００１２】
これによれば、パウダー層が光の乱反射を促進させるので、金属箔独特の高輝性を演出することができ、優れた意匠的装飾効果を発揮することができる。
【００１３】
また、上記目的を達成するために、本発明に係る転写シートの製造方法は、被貼着体に絵柄を転写する転写シートの製造方法であって、シール台紙上に柔軟性と不水溶性を有する透明な樹脂フィルムを積層して保護コート層を形成する工程と、形成された保護コート層の上に、インクジェット方式により液滴の径が１２〜４８μｍ程度のカラーインクを噴霧させ所定の絵柄を印刷してカラー印刷層を形成する工程と、形成されたカラー印刷層の上に粘着剤を積層して金属箔を支持するための下地層を形成する工程と、下地層の上に金属箔を貼着して所定の絵柄パターンの金属箔絵柄層を形成する工程と、金属箔絵柄層に前記被貼着体に貼り付けるための粘着剤を積層して粘着剤層を形成する工程とを含むことを特徴とする。
【００１４】
これにより、上記のような優れた意匠的装飾効果と、優れた耐久性能を両立させた転写シートが製造可能となる。
【発明の効果】
【００１５】
本発明に係る転写シートによれば、インクジェット方式でカラー印刷層を形成することで、高精細なカラー印刷絵柄を表現するので、金属箔独特の高輝性と高精細なカラー印刷意匠とにより、意匠性に優れた転写シートを実現することができる。また、インクジェットで噴霧されたインクと金属箔表面のピンホールとのアンカー効果が向上するので、密着力が強化され耐久性にも優れた転写シートが実現可能となる。
【００１６】
また、本発明に係る転写シートの製造方法により、装飾効果と耐久性に優れた転写シートが製造可能となる。
【図面の簡単な説明】
【００１７】
【図１】本発明の実施の形態に係る転写シートの部分平面図である。
【図２】図１のＡ−Ａ線における部分断面図である。
【図３】転写シートの製造手順を示すフロー図である。
【図４】変形例に係る転写シートの部分平面図である。
【発明を実施するための最良の形態】
【００１８】
以下、本発明に係る転写シート及びその製造方法について図面を参照しながら説明する。
【００１９】
図１は、本発明の実施の形態１に係る転写シートの部分平面図である。
【００２０】
転写シート１は、金、銀、プラチナ、銅錫、アルミニウム等の単金属あるいはこれらの金属の合金からなる金属箔を用いて形成された絵柄とカラー印刷を用いて形成された絵柄とを、被貼着体に転写して被貼着体の装飾を図るものである。図１には、金属箔による絵柄の例として、アルファベットの「Ａ」、「Ｂ」及び「Ｃ」の金属箔絵柄７ａ、７ｂ、７ｃと、カラー印刷による絵柄の例として印刷絵柄４ａ、４ｂ、４ｃが示されている。
【００２１】
転写シート１の被貼着体としては人体の皮膚が代表的であるが、ネイルアート等に使用するネイルシールとして手足の指の爪、椀や重箱等の食器類や箸、スプーン等の食器小物類、コースター、盆等の間接食器類、花生け、時計等の装飾品、ペン、名刺入れ等の文房具類、タンス、屏風等の家具調度品、髪飾り、ペンダント等のアクセサリー類、窓ガラス、化粧壁等の建築物等、転写シート１を貼着可能な平面を有する物品であれば被貼着体となりうる。
【００２２】
図２は、図１のＡ−Ａ線における部分断面図である。
【００２３】
図２に示すように、転写シート１は、シール台紙２、保護コート層３、カラー印刷層４、ホワイト印刷層５、下地層６、金属箔絵柄層７、粘着剤層８及びシリコン離型紙９が積層された構成を有している。
【００２４】
シール台紙２は、転写シート１が被貼着体に貼り付けられるまで、積層された保護コート層３からシリコン離型紙９までを保持しておくための台紙であり、従来のシール用台紙を用いることができる。
【００２５】
保護コート層３は、柔軟性と不水溶性を有する透明な樹脂フィルムで構成される、１０〜２０μｍ程度の薄さの層であり、金属箔絵柄層７を保護してその耐摩耗性を高めると共に、皮膚の動きに追従するフレキシブル性を高めるために設けられる。保護コート層３を構成する樹脂フィルムとしては、例えば、アクリル系、セルロース系、ブチラール系、ウレタン系、エポキシ系樹脂フィルム等が挙げられる。
【００２６】
カラー印刷層４は、フルカラーインクを用いて絵柄を印刷することで形成される層である。カラー印刷層４は、液滴の径が１２〜４８μｍ程度のインクを吐出、噴霧させて定着させるインクジェット方式により形成されている。インクジェット方式とすることによって、インクをつぶすことなく、微細な網点化（ドット化）を図ることができ、高精細（１８００×１８００ｄｐｉ）な印刷絵柄を表現することが可能になっている。また、網点化することで、インクの液滴が柔軟な弾力性を発揮し、被貼着体の皮膚などの弾力や伸び縮みに追随させることもできる。なお、ここで用いるインクは、柔軟性を備えたＵＶインクなどを用いるのが好ましい。インクが柔軟性を備えていることで、さらに被貼着体の皮膚などの弾力や伸縮に追従させることができるからである。
【００２７】
また、後述する金属箔絵柄層７を構成する金属箔の表面にある微細な孔（ピンホール）の径は平均すると約１３μｍであることから、上記の径のインクをつぶすことなくインクジェット方式で吐出、噴霧するとインクとピンホールとのアンカー効果の向上を図ることができ、転写シート１の密着性を高め、耐久性能の飛躍的な効果を実現することができる。
【００２８】
ホワイト印刷層５は、白色系のインクを用いて、カラー印刷層４と同様に、インクジェット方式により印刷することで形成される層である。このホワイト印刷層５は、カラー印刷層４の発色を良くするので、必要に応じて、例えば、カラー印刷層４が形成する印刷絵柄をより鮮明に映えさせる場合などに設けられる。反対に、後述する金属箔絵柄層７が形成する金属箔絵柄の特有の意匠性を際立たせる場合のように、あえて設けない方が好ましいこともある。
【００２９】
下地層６は、１０〜２０μｍ程度の薄さの層であり、下記のような組成の透明な粘着剤で構成される。金属箔絵柄層７の絵柄形態と相応するパターンとなるように形成され、金属箔絵柄層７の金属箔を支持する。
【００３０】
（下地層６の粘着剤の組成）
アクリル酸エステル共重合体樹脂          ２０．０重量％
ソルベッソ１５０（石油系溶剤、商品名）  ４８．０重量％
キレート系架橋剤                          ２．０重量％
ソルフィット（石油系溶剤、商品名）      ３０．０重量％
【００３１】
金属箔絵柄層７は、下地層６に貼着され、所定の絵柄形態に形成された金属箔からなる層である。ここにいう金属箔とは、伝統工芸技術を活かした箔打ち製造方法により得られる箔又はシート、圧延ローラ等の工業的圧延加工技術により得られる箔又はシート、蒸着技術により得られる箔又はシートを含むものである。なお、金属箔の厚みは、０．１〜５．０μｍの範囲とするのが好ましい。０．１μｍに満たない極薄の金属箔は製造が困難であり、仮に製造できたとしても耐摩耗性に欠けるからである。また、人体の皮膚の色が金属箔を透過してしまい、金属箔の発する光沢が低減して意匠的効果を期待できないことになる。一方、５．０μｍを超える金属箔は、厚すぎてフレキシブル性に欠け、皮膚への追従性が悪くシールし難く、経済的にも不利となる。
【００３２】
この金属箔絵柄層７を蒸着技術により形成する例を説明すると、金属箔絵柄層７は、下地層６の上に真空蒸着手段を用いて厚さ４．０μｍの蒸着箔を載せて軽く押さえた後、蒸着箔を剥離すると、下地層６が形成されている部分にのみ蒸着箔が粘着して残存し、所望の絵柄形態が形成されるようになっている。
【００３３】
粘着剤層８は、１０〜２０μｍ程度の薄さの層であり、例えば人体の皮膚など、被貼着体に貼り付けるための粘着剤で構成される層である。粘着剤層８を構成する粘着剤としては、例えば下記の組成のものを用いることができるが、市販の粘着剤ならほとんど使用可能である。但し、被貼着体が皮膚の場合には、皮膚に接触するものであるから強い刺激性を有するものは使用に適さないことはいうまでもない。
【００３４】
（粘着剤層８の粘着剤の組成）
アクリル酸エステル樹脂      ２５．０重量％
メトキシブタノール（溶剤）  ４１．５重量％
キレート系架橋剤              ３．５重量％
ダイアセトンアルコール      ３０．０重量％
【００３５】
シリコン離型紙９は、ブロッキング防止のために設けられるシートであり、従来のものを利用することができる。
【００３６】
このように構成される転写シート１を人体の上腕部の皮膚に貼り付ける場合、まずシリコン離型紙９を剥離した後、皮膚に貼り付けるための粘着剤層８を上腕部に押し当てて、シール台紙２の裏面から水をシール台紙２にたっぷり染み込ませる。すると、２０〜４０秒後にはシール台紙２が簡単に取れて皮膚面に絵柄が転写される。その絵柄の上からティッシュペーパー等で余分な糊・水分を拭き取れば、金属箔絵柄層７の金属箔とカラー印刷層４とによって人体の上腕部を綺麗に装飾することができる。
【００３７】
次に、このような構成を有する転写シート１の製造方法について説明する。
【００３８】
図３は、転写シート１の製造手順を示すフロー図である。
【００３９】
まず、シール台紙２の上面に糊状の澱粉を塗布し乾燥させた後、保護コート層３を構成する樹脂をシルクスクリーン印刷することにより、シール台紙２上に保護コート層３を形成する（ステップＳ１０）。
【００４０】
次に、形成された保護コート層３の上に、インクジェット方式により高精細なフルカラーインクを吐出、噴霧させて定着させて絵柄を印刷し、カラー印刷層４を形成する（ステップＳ２０）。
【００４１】
この後、ホワイト印刷層５を形成する場合は、カラー印刷層４の上にインクジェット方式により高精細な白色系インクを吐出、噴霧させて定着させ、ホワイト印刷層５を形成する（ステップＳ３０）。
【００４２】
続いて、ホワイト印刷層５の上に、または、ホワイト印刷層５を形成しない場合はカラー印刷層４の上に、既述した金属箔支持用の透明な粘着剤をスクリーン印刷により、金属箔絵柄層７が所望の絵柄形態に形成されるよう相応するパターンで下地層６を形成する（ステップＳ４０）。
【００４３】
そして、従来と同様に下地層６を構成する粘着剤の乾燥時間（約１日）を空けてから、金属箔を下地層６の上に載せて軽く押さえた後、金属箔を剥がして金属箔絵柄層７を形成する（ステップＳ５０）。
【００４４】
最後に、金属箔絵柄層７の上に、被貼着体に貼り付けるための粘着剤を、スクリーン印刷を用いて保護コート層３と同じパターンとなるように積層させて粘着剤層８を形成し（ステップＳ６０）、ブロッキング防止のためのシリコン離型紙９を貼付して転写シート１が完成する。
【００４５】
このような手順で製造される転写シート１は、カラー印刷層４をインクジェット方式で形成することで、高精細なカラー印刷絵柄を表現するとともに、噴霧されたインクと金属箔表面のピンホールとのアンカー効果を高めるので、金属箔と高精細なカラー印刷意匠とを共存させることができ、かつ、密着力を強化して耐久性を向上させることができる。
【００４６】
続いて、本実施の形態１に係る転写シートの変形例について説明する。
【００４７】
図４は、変形例に係る転写シートの部分平面図である。
【００４８】
変形例に係る転写シート１ａは、シール台紙２と保護コート層３との間にパウダー層１０を備える点で、実施の形態に係る転写シートと異なる。
【００４９】
パウダー層１０は、平均粒径が１０μｍ以下の粉末状物質（パウダー）で構成される層であり、金属箔絵柄層７を形成する金属箔の光沢を高めるために設けられる。パウダー層１０によって金属箔の光沢が高められるのは、粉末状物質が光の乱反射を促進させるからである。また、パウダー層１０を形成することにより金属箔絵柄層７を構成する金属箔がシール台紙２に付着することを防止する効果も期待できる。このパウダー層１０は、シール台紙２の上面に糊状の澱粉を塗布し乾燥させた後で粉蒔きして形成される。
【００５０】
パウダー層１０を構成する粉末状物質としては、例えば、タルクを主成分とするベビーパウダーを使用することができ、その他、酸化チタン等を主成分とする粉末状物質を使用することも可能である。
【００５１】
このパウダー層１０を備えることで、転写シート１ａは、パウダー層１０が光の乱反射を促進させるので、金属箔の光沢がより高められ、カラー印刷層４によるカラー印刷の装飾的効果と相俟って、極めて高い意匠性を発揮することができる。
【００５２】
このパウダー層１０は、金属箔の光沢を高めるという観点からは、保護コート層３とカラー印刷層４との間に形成するとしてもよい。
【００５３】
ただ、パウダー層１０を保護コート層３の形成前に、つまり、保護コート層３よりも下層のシール台紙２と保護コート層３との間に形成することにより、次のような効果が得られる。
【００５４】
まず、保護コート層３とカラー印刷層４との間にパウダー層１０を設けると、噴霧されたインクと金属箔のピンホールとのアンカー効果を阻害するおそれがあるため、アンカー効果を存分に発揮させる上で、パウダー層１０は保護コート層３よりも下層とするのが好ましい。
【００５５】
また、カラー印刷層４による印刷絵柄をより鮮明に表現するためにはパウダー層１０を極力薄くして、少ない量のパウダーで構成することが必要となる。この点、保護コート層３の形成後にパウダーを粉蒔きすると保護コート層３に混入されてしまう量が増えるところ、保護コート層３の形成前にパウダーを粉蒔きする構成とすれば、適切な量のパウダーでパウダー層１０を形成することが可能となる。さらに、このことはシール台紙２に余分な箔や粉が付着することを防止することができるという効果にもつながっている。
【００５６】
以上、本発明に係る転写シートについて各実施の形態に基づいて説明したが、本発明は、これらの実施の形態に限定されるものではなく、その範囲を逸脱することなく本発明の趣旨に沿って様々の変形または修正が可能であることはいうまでもない。
【００５７】
例えば、上記各実施の形態では、シール台紙の上に保護コート層を積層する構成としたが、シール台紙と保護コート層の間に金属箔との嫌密着性を有する樹脂からなる付着防止層を形成するとしてもよい。これにより、パウダー層と相俟って、金属箔絵柄層の加飾中に発生する余分な金属箔がシール台紙に付着することを効果的に防止することができる。
【００５８】
また、保護コート層と粘着剤層とを、他の層、すなわちカラー印刷層、ホワイト印刷層、下地層及び金属箔絵柄層よりも幅広となるように積層し、さらに、粘着剤層が保護コート層よりも幅広に形成するようにしてもよい。このように、保護コート層と粘着剤層とを他の層よりも幅広にすることにより、保護コート層と粘着剤層とが他の層を挟んで被覆するので、金属箔の耐摩耗性を向上させ、より耐久性に優れた転写シートを実現することができる。また、粘着剤層を保護コート層よりも幅広に形成することにより、残りの層全体がホールドされるので、耐久性をより向上させることができる。さらに、粘着剤層が最も幅広となるので、柔軟性及びフレキシブル性も向上させることができ、皮膚への追随性に優れた転写シートが実現可能となる。
【産業上の利用可能性】
【００５９】
本発明に係る転写シートは、被貼着体に絵柄を転写して装飾的効果を高めるシートとして有用であり、特に人体の皮膚に絵柄を転写するタトゥーシートとして有用である。
【符号の説明】
【００６０】
１，１ａ          転写シート
２                シール台紙
３                保護コート層
４                カラー印刷層
４ａ，４ｂ，４ｃ  印刷絵柄
５                ホワイト印刷層
６                下地層
７                金属箔絵柄層
７ａ，７ｂ，７ｃ  金属箔絵柄
８                粘着剤層
９                シリコン離型紙
１０              パウダー層
【図１】
0006386831.tif 000002
【図２】
0006386831.tif 000003
【図３】
0006386831.tif 000004
【図４】
0006386831.tif 000005